(57)【特許請求の範囲】
【請求項１】
家具本体に対して出し入れ自在な引出しの左右の側板上に亘って、引出しの出し入れを許容し、かつ、引出しの底板との間に物品収納空間を現出可能な大きさの補助天板が、左右方向に沿う複数の貫通孔を備えた中空天板部と、該中空天板部の左右両端部をそれぞれ閉塞するキャップとから構成されているとともに、前記両キャップの各々には、中空天板部の少なくとも一つの貫通孔に嵌合される嵌合突起と、引出しの側板の上面に載置される載置部とが形成されている家具用補助天板。
【請求項２】
前記嵌合突起の嵌合面には、中空天板部の貫通孔の内周面に圧接される圧入用の突条が形成されている請求項１記載の家具用補助天板。
【請求項３】
前記載置部の下面には、左右方向に沿う複数の補強用リブが形成されている請求項１又は２記載の家具用補助天板。
【発明の詳細な説明】
【０００１】
【発明の属する技術分野】
本発明は、学習机や該学習机の天板の下方に移動自在に設けられる袖箱等の引出し付きの家具で、より詳しくは、家具本体に対して出し入れ自在な引出しに、コンピュータのキーボード等の薄型情報入力装置を載置可能な補助天板の改良に関する。
【０００２】
【従来の技術】
従来の家具では、家具に対して出し入れ自在な引出しに、該引出しの左右の側板の外側幅よりも大きな長さの補助天板を着脱自在に載置し、この補助天板の前後方向の一端面に、引出しの左右両側板上に載置された状態で天板の前端面に前方から接当するストッパー面を形成するとともに、前記補助天板の下面には、引き出された引出しの側板に着脱自在に係合又は圧接される複数の仮固定部を付設したものが提案されている（例えば、実開平６−７５３８号公報）。
また、前記補助天板としては、中実状の木製又は合成樹脂製の板体が用いられている。
【０００３】
【発明が解決しようとする課題】
上記の従来の家具による場合では、家具から引き出された引き出しの上部スペースを薄型情報入力装置の載置スペースとして利用することによって、家具の天板上面を、薄型情報入力装置の載置以外の使用目的に活用できるばかりでなく、引出し自体を補助天板の保持台として兼用できるから、補助天板の取付け構造の簡素化を図ることができる。その反面、使用時には、引出しの両側板上に載置された補助天板のストッパー面を天板の前端面に前方から接当させるため、その状態では引き出しを押し込み操作することがきず、その結果、補助天板を使用しない場合、引き出しから取り外された補助天板を他の場所に保管し、かつ、使用時に、その保管場所から補助天板を取り出してこなければならないため、補助天板の管理面での取扱いが不便であった。
また、前記補助天板が中実の板体から構成されているため、薄型情報入力装置の荷重及びそれに加わる操作力に耐え得るだけの強度を確保するためには、板厚が厚くなって重量化し易い。
【０００４】
本発明は、上述の実情に鑑みて為されたものであって、その主たる目的は、補助天板の保管を容易に行うことができると同時に、補助天板として要求される強度を確保しながらも軽量化を図ることができ、しかも、左右幅が異なる複数種類の引出しに対応したものをコスト面で有利に製造することができる補助天板を提供する点にある。
【０００５】
【課題を解決するための手段】
家具の補助天板構造の構成として、家具本体に対して出し入れ自在な引出しの左右の側板上に亘って、引出しの出し入れを許容し、かつ、引出しの底板との間に物品収納空間を現出可能な大きさの補助天板を、脱着並びに前記出し入れ方向に摺動自在に設けてもよい。
前記構成によれば、引出しの左右の側板上に亘って補助天板を載置したまま、該引き出しを家具本体に対して自由に出し入れ操作することができるばかりでなく、引き出しに対する物品の出し入れ時に、前記補助天板を両側板に沿って前後方向に摺動させることによって、該補助天板と引き出しの周縁との間に物品を出し入れするための空間を容易に現出することができる。しかも、前記補助天板と引出しの底板との間には物品収納空間を形成してあるが故に、補助天板を載置することに伴う引出しの収納容積の減少を抑制することができる。
また、引出しの両側板上に載置された補助天板の使用時において、引き出しに対する物品の出し入れを行う必要が生じた場合でも、引き出しを更に引き出して、薄型情報入力装置等が載置されている補助天板を前後方向に移動させるか、或いは、薄型情報入力装置等が載置されている補助天板を引き出しから一旦取り外すことによって、物品の出し入れを自由に行うことができる。
従って、家具から引き出された引き出しの上部スペースを薄型情報入力装置等の載置スペースとして利用することによって、天板面の活用と補助天板の取付け構造の簡素化とを図りながら、補助天板の非使用時においても、該補助天板を引き出しに常設することが可能で、補助天板の管理面での取扱いの容易化を図ることができる。
【０００６】
家具の補助天板構造の構成として、前記補助天板に、引出しの両側板の内面に左右方向から接当可能な移動規制面が形成されていてもよい。
前記構成によれば、引出しの両側板上に載置された補助天板の左右方向での移動を、該補助天板の移動規制面と両側板の内面との接当によって規制することができるから、補助天板が入力操作時等の振動によって左右方向にずれ落ちることがなく、薄型情報入力装置等を載置した状態での取り扱いをラフに行うことができる。
【０００７】
家具の補助天板構造の構成として、前記補助天板の上面に、スベリ止め手段が設けられていてもよい。
前記構成によれば、前記補助天板に載置した薄型情報入力装置等がずれ動くことを抑制することができるから、薄型情報入力装置等を載置した状態での取り扱いをラフに行うことができる。
【０００８】
本発明の請求項１による家具用補助天板の特徴構成は、家具本体に対して出し入れ自在な引出しの左右の側板上に亘って、引出しの出し入れを許容し、かつ、引出しの底板との間に物品収納空間を現出可能な大きさの補助天板が、左右方向に沿う複数の貫通孔を備えた中空天板部と、該中空天板部の左右両端部をそれぞれ閉塞するキャップとから構成されているとともに、前記両キャップの各々には、中空天板部の少なくとも一つの貫通孔に嵌合される嵌合突起と、引出しの側板の上面に載置される載置部とが形成されている点にある。
前記特徴構成によれば、前記補助天板の主要部が複数の貫通孔を備えた中空天板部から構成されているから、補助天板として要求される強度を充分に確保しながらも軽量化を図ることができる。
しかも、左右幅が異なる複数種類の引き出しに対応した補助天板を製造する場合でも、嵌合突起及び載置板部を備えたキャップは共用することができるから、引き出しの種類に対応した長さの中空天板部を製作するだけで済み、左右幅が異なる複数種類の引出しに対応した補助天板をコスト面で有利に製造することができる。
更に、前記キャップの嵌合突起を中空天板部の貫通孔に嵌合させることによって、中空天板部に作用する荷重を左右のキャップを介して引出しの両側板に受け止め支持させることができるから、接着剤やビス等の他の固定手段を併用する場合でも補助的なものでよく、補助天板として要求される強度を充分に確保しながらも組付け作業の能率化を図ることができる。
【０００９】
本発明の請求項２による家具用補助天板の特徴構成は、前記嵌合突起の嵌合面に、中空天板部の貫通孔の内周面に圧接される圧入用の突条が形成されている点にある。
前記特徴構成によれば、前記キャップの嵌合突起を中空天板部の貫通孔に嵌合させたとき、該嵌合突起の嵌合面に形成した突条が貫通孔の内周面に食い込み状態で圧接されるから、中空天板部とキャップとの嵌合強度を向上することができる。
【００１０】
本発明の請求項３による家具用補助天板の特徴構成は、前記載置部の下面に、左右方向に沿う複数の補強用リブが形成されている点にある。
前記特徴構成によれば、前記キャップの載置部の強度を高めることができるばかりでなく、引出しの両側板の上面と載置部の補強用リブとの接触面積が小さくなるから、単位面積当たりでの面圧が高くなり、引出しの両側板に載置された補助天板の前後方向でのずれ動きを抑制することができる。
【００１１】
【発明の実施の形態】
図１は家具の一例である学習机を示し、これは、左右一対の横側板１と後側板（背面板）２との上部に亘って天板３を固定して机本体（家具本体の一例）を構成し、この机本体の天板３の下面で、かつ、左右方向の中央位置よりも少し一側方に偏位した部位には、図２に示すように、前後方向に沿う垂下姿勢の仕切板４を固着するとともに、前記仕切板４の両側面とこれに左右方向で相対向する状態で横側板１の内面に固着された補強板５との間には、左右幅の異なる二種類の木製の引出し７を前後方向に出し入れ操作自在に保持するための引出し装着空間Ｓを形成してある。
前記各引出し６の左右の側板６Ａの外面には、前記仕切板４及び補強板５に設けたガイドレール７に沿って引出し６を前後方向に移動案内する摺動レール８を取付けるとともに、広幅側の引出し６の左右の側板６Ａ上に亘って、引出し６の出し入れ操作を許容し、かつ、引出し６の底板６Ｂとの間に物品収納空間９を現出可能な大きさの補助天板Ａを、脱着並びに前記出し入れ方向に摺動自在に設けてある。
【００１２】
前記補助天板Ａは、左右方向視における横断面形状が矩形又はほぼ矩形状の貫通孔１０を前後方向に複数個区画形成する状態で押出成形された合成樹脂製の中空天板部１１と、該中空天板部１１の左右両端部をそれぞれ閉塞する合成樹脂製のキャップ１２とから構成されている。
前記中空天板部１１は押出成形品であるから、引出し６の左右幅に応じた所定寸法に切断して用いる。
前記両キャップ１２の各々には、中空天板部１１の貫通孔１０の複数個に嵌合される嵌合突起１２Ａと、引出し６の側板６Ａの上面に載置される板状の載置部１２Ｂ、及び、引出し６の両側板６Ａの内面６ａに左右方向から接当可能な移動規制面１２Ｃとが形成されている。
【００１３】
前記キャップ１２の嵌合突起１２Ａのうち、中空天板部１１の前後方向両端の貫通孔１０に嵌合される嵌合突起１２Ａは、前後方向の外方に向かって開口する横断面形状がコの字状に構成されているとともに、中間に位置する他の嵌合突起１２Ａは、中空天板部１１の中間の貫通孔１０に摺接状態で嵌入する筒状に構成され、更に、前記各嵌合突起１２Ａの上下の嵌合面の各々には、貫通孔１０の内周面１１ａに食い込み状態で圧接される横断面形状が半円弧状の突条１２ａが形成されている。
前記各嵌合突起１２Ａの先端部には、該嵌合突起１２Ａを貫通孔１０内にスムースに嵌合させることができるように、先端側ほど筒軸芯側に位置するテーパー面１２ｂが形成されているとともに、前記突条１２ａの先端部には、該突条１２ａを貫通孔１０の内周面１１ａに沿ってスムースに圧入することができるように、先端側ほど嵌合面に近接するテーパー面１２ｄが形成されている。
【００１４】
前記キャップ１２の載置部１２Ｂは、図２に示すように、引出し６の側板６Ａの上面と天板３の下面との間隔よりも小なる厚みに形成されているとともに、前記補助天板Ａの左右幅は、引出し装着空間Ｓの左右幅よりも小に構成、換言すれば、引出し６の左右の側板６Ａの外面間寸法と同一又はそれよりも若干小に構成されていて、補助天板Ａを載置してある引出し６の出し入れ操作を許容するように構成してある。
また、前記載置部１２Ｂの下面には、左右方向に沿う横断面形状が半円弧状の複数の補強用リブ１２ｅが形成されているとともに、前記補助天板Ａの前後幅は、コンピュータのキーボードを載置可能な幅に構成されている。
【００１５】
前記中空天板部１１の上面には、図３、図４、図７に示すように、左右方向に沿う複数本の溝１１ｂを前後方向に一定ピッチで形成し、この複数本の溝１１ｂをもって、中空天板部１１の上面に載置されるコンピュータのキーボード等の薄型情報入力装置のずれ動きを抑制するスベリ止め手段が構成されている。
【００１６】
〔別実施形態〕
▲１▼  上述の実施形態では、前記キャップ１２に、中空天板部１１の貫通孔１０のうちの複数個に嵌合される嵌合突起１２Ａを一体形成したが、前記中空天板部１１の全ての貫通孔１０に嵌合される嵌合突起１２Ａをキャップ１２に一体形成して実施してもよく、更に、中空天板部１１の貫通孔１０のうちの一つに嵌合される嵌合突起１２Ａをキャップ１２に一体形成して実施してもよい。
好ましくは、中空天板部１１の貫通孔１０のうちの少なくとも二つに嵌合される嵌合突起１２Ａをキャップ１２に形成する。
▲２▼  上述の実施形態では、前記キャップ１２の嵌合突起１２Ａを前記中空天板部１１の貫通孔１０に圧入して、その摩擦力でキャップ１２の嵌合突起１２Ａと中空天板部１１との嵌合状態を維持するように構成したが、接着剤やビス等の他の固定手段を併用して、キャップ１２の嵌合突起１２Ａと中空天板部１１との嵌合状態を維持するようにしてもよい。
▲３▼  上述の実施形態では、家具として学習机を例に挙げて説明したが、この学習机に限定されるものではなく、例えば、学習机の天板の下方に移動自在に設けられる袖箱や引出し付きのパソコン台等の他の引出し付き家具であっても、本発明の技術を適用することができる。
▲４▼  上述の実施形態では、前記補助天板Ａを、中空天板部１１と両キャップ１２とから構成したが、この補助天板Ａとしては、引出し６の左右の側板６Ａ上に載置しても引出し６の出し入れに支障を来すことがなく、かつ、引出し６の底板６Ｂとの間に物品収納空間９を現出することのできる形状であれば、全体が合成樹脂や金属等で一体成形されているものであってもよい。
▲５▼  上述の実施形態では、前記補助天板Ａの上面に形成した複数本の溝１１ｂをもってスベリ止め手段を構成したが、このスベリ止め手段を、補助天板Ａの上面に形成した粗面や貼り付けたゴム等から構成してもよい。
▲６▼  上述の実施形態では、前記補助天板Ａを構成する中空天板部１１と両キャップ１２とをそれぞれ合成樹脂から構成したが、アルミニウム合金等の金属材料から構成してもよい。
【図面の簡単な説明】
【図１】本発明の実施形態を示す全体斜視図
【図２】図１のＩＩ−ＩＩ線拡大断面図
【図３】補助天板の分解斜視図
【図４】補助天板の斜視図
【図５】（イ）は補助天板の分解時の要部の縦断面図
（ロ）は補助天板の嵌合時の要部の縦断面図
【図６】（イ）は補助天板の分解時の要部の水平断面図
（ロ）は補助天板の嵌合時の要部の水平断面図
【図７】図５の（ロ）におけるＶＩＩ−ＶＩＩ線拡大端面図
【符号の説明】
Ａ      補助天板
６      引出し
６Ａ    側板
６ａ    内面
９      物品収納空間
１０    貫通孔
１１    中空天板部
１１ａ  内周面
１１ｂ  スベリ止め手段（溝）
１２    キャップ
１２Ａ  嵌合突起
１２Ｂ  載置部
１２Ｃ  規制面
１２ａ  突条
１２ｅ  補強リブ
【図１】
0003696338.tif 000002
【図２】
0003696338.tif 000003
【図３】
0003696338.tif 000004
【図４】
0003696338.tif 000005
【図５】
0003696338.tif 000006
【図６】
0003696338.tif 000007
【図７】
0003696338.tif 000008